(57)【特許請求の範囲】
【請求項１】
建物の見積もりを行う際に必要とされる予め定められた種類の所定の見積もり項目毎の
仕様を示す仕様情報、及び当該仕様の当該見積もり項目における単価を示す単価情報が関
連付けられて予め記憶された記憶手段と、
見積もり対象とする建物に含まれる複数の室の前記仕様を示す情報を、当該複数の室を
同一仕様とされる室毎に分類した分類グループ毎に一括して指定仕様情報として入力する
入力手段と、
前記入力手段によって入力された前記分類グループ毎の指定仕様情報、及び当該指定仕
様情報と同一の前記仕様情報に関連付けられて前記記憶手段により記憶されている前記単
価情報に基づいて、前記見積もり対象とする建物に関する前記予め定められた種類の価格
を算出する算出手段と、
前記算出手段による算出結果を示す情報を表示する表示手段と、
を備えた見積装置であって、
前記表示手段は、前記入力手段により前記指定仕様情報を入力する際に、前記仕様情報
をマトリクス表における一方の軸上に表示すると共に、当該マトリクス表における他方の
軸上に前記分類グループを示す情報を表示することにより当該マトリクス表を更に表示し
、
前記入力手段は、前記表示手段によって表示されたマトリクス表における、入力対象と
する分類グループを示す情報の表示位置と、当該分類グループに対して入力するべき前記
指定仕様情報と同一の前記仕様情報の表示位置との交点の位置の指定入力を受け付けるこ
とにより、前記分類グループ毎の指定仕様情報を入力し、
前記記憶手段は、前記見積もり対象とする建物の３次元オブジェクトモデルを示す情報
を更に予め記憶し、
前記３次元オブジェクトモデルを示す情報に基づいて、前記見積もり対象とする建物に
含まれる複数の室において必要とされる見積もり項目の適用量を導出する導出手段を更に
備え、
前記算出手段は、前記指定仕様情報、前記単価情報、及び前記導出手段によって導出さ
れた適用量に基づいて、前記価格を算出する見積装置。
【請求項２】
前記表示手段は、前記分類グループを示す情報が入力可能に前記マトリクス表を表示し
、
前記入力手段は、前記マトリクス表を介して前記分類グループを示す情報を更に入力す
る
請求項１記載の見積装置。
【請求項３】
前記予め定められた種類は、仮設、躯体、仕上げ、外構、及び設備の少なくとも１つで
ある
請求項１又は請求項２記載の見積装置。
【請求項４】
前記算出手段は、前記価格を前記見積もり項目毎に算出する
請求項１〜請求項３の何れか１項記載の見積装置。
【請求項５】
前記室を分類グループ毎に分類するために用いられる仕様が、階数、天井高、天井高基点、上面高さ、下面高さの少なくとも１つを含む
請求項１〜請求項４の何れか１項記載の見積装置。
【請求項６】
前記入力手段は、前記予め定められた種類を更に入力する
請求項１〜請求項５の何れか１項記載の見積装置。
【請求項７】
建物の見積もりを行う際に必要とされる予め定められた種類の所定の見積もり項目毎の
仕様を示す仕様情報、及び当該仕様の当該見積もり項目における単価を示す単価情報が関連付けられて予め記憶されると共に、前記見積もり対象とする建物の３次元オブジェクトモデルを示す情報が予め記憶された記憶手段を備えた見積装置において実行される見積プログラムであって、
前記３次元オブジェクトモデルを示す情報に基づいて、前記見積もり対象とする建物に
含まれる複数の室において必要とされる見積もり項目の適用量を導出する導出ステップと、
前記見積もり対象とする建物に含まれる複数の室の前記仕様を示す情報を、前記仕様情報をマトリクス表における一方の軸上に表示すると共に、当該マトリクス表における他方の軸上に前記複数の室を同一仕様とされる室毎に分類した分類グループを示す情報を表示手段に表示させ、該マトリクス表における、入力対象とする前記分類グループを示す情報の表示位置と、当該分類グループに対して入力するべき前記仕様情報の表示位置との交点の位置の指定入力を受け付けることにより、前記分類グループ毎に一括して指定仕様情報として入力する入力ステップと、
前記入力ステップによって入力された前記分類グループ毎の指定仕様情報、当該指定仕様情報と同一の前記仕様情報に関連付けられて前記記憶手段により記憶されている前記単価情報、及び前記適用量に基づいて、前記見積もり対象とする建物に関する前記予め定められた種類の価格を算出する算出ステップと、
前記算出ステップによる算出結果を示す情報を表示手段により表示する表示ステップと
、
をコンピュータに実行させる見積プログラム。
【発明の詳細な説明】
【技術分野】
【０００１】
本発明は、見積装置及び見積プログラムに係り、より詳しくは、建物に関する価格を見積もる見積装置及び見積プログラムに関する。
【背景技術】
【０００２】
建物の設計者は、当該建物の価格が予定価格内に収まるか否かを確認するために、適宜建物の価格の見積もり計算を行う。従って、当該建物の見積もりを短時間で、かつ的確に行うことは非常に重要である。
【０００３】
この種の建物の価格を短時間で、かつ的確に見積もるために適用できる技術として、特許文献１には、平面図の作図作業の効率を阻害せずに、記載もれや誤記載のない正確な仕上げ部材表が容易に作成されるようになるユニット式建物用ＣＡＤシステムを提供することを目的として、ユニット式建物の外装、内装、建具、及び設備機器等の仕上げ部材について、その用途・機能に応じて大分類から小分類へ段階的に分類する分類コードが付された仕上げ部材データを蓄積し、仕上げ部材について大分類から小分類に向かって次第に細かい分類に対して選択を行う選択画面を表示装置に表示させる手段を設け、選択画面を見ながら仕上げ部材データを選択させて、オペレータに入力操作を行わせることにより、種類が著しく多い仕上げ部材の入力作業を正確かつ迅速に行えるようにする技術が開示されている。
【特許文献１】特開平９−２５９１５９号公報
【発明の開示】
【発明が解決しようとする課題】
【０００４】
しかしながら、上記特許文献１に開示されている技術では、各種見積もり項目に関して同一仕様とされている各室においても各室毎に仕様を入力する必要があり、この結果として、必ずしも効率的に見積もりを行うことができるとは限らない、という問題点があった。
【０００５】
本発明は上記問題点を解決するためになされたものであり、複数の室を有する建物の見
積もりを効率的に行うことができる見積装置及び見積プログラムを提供することを目的とする。
【課題を解決するための手段】
【０００６】
上記目的を達成するために、請求項１記載の見積装置は、建物の見積もりを行う際に必要とされる予め定められた種類の所定の見積もり項目毎の仕様を示す仕様情報、及び当該仕様の当該見積もり項目における単価を示す単価情報が関連付けられて予め記憶された記憶手段と、見積もり対象とする建物に含まれる複数の室の前記仕様を示す情報を、当該複数の室を同一仕様とされる室毎に分類した分類グループ毎に一括して指定仕様情報として入力する入力手段と、前記入力手段によって入力された前記分類グループ毎の指定仕様情報、及び当該指定仕様情報と同一の前記仕様情報に関連付けられて前記記憶手段により記憶されている前記単価情報に基づいて、前記見積もり対象とする建物に関する前記予め定められた種類の価格を算出する算出手段と、前記算出手段による算出結果を示す情報を表示する表示手段と、を備えた見積装置であって、前記表示手段は、前記入力手段により前記指定仕様情報を入力する際に、前記仕様情報をマトリクス表における一方の軸上に表示すると共に、当該マトリクス表における他方の軸上に前記分類グループを示す情報を表示することにより当該マトリクス表を更に表示し、前記入力手段は、前記表示手段によって表示されたマトリクス表における、入力対象とする分類グループを示す情報の表示位置と、当該分類グループに対して入力するべき前記指定仕様情報と同一の前記仕様情報の表示位置との交点の位置の指定入力を受け付けることにより、前記分類グループ毎の指定仕様情報を入力し、前記記憶手段は、前記見積もり対象とする建物の３次元オブジェクトモデルを示す情報を更に予め記憶し、前記３次元オブジェクトモデルを示す情報に基づいて、前記見積もり対象とする建物に含まれる複数の室において必要とされる見積もり項目の適用量を導出する導出手段を更に備え、前記算出手段は、前記指定仕様情報、前記単価情報、及び前記導出手段によって導出された適用量に基づいて、前記価格を算出するものである。
【０００７】
請求項１記載の見積装置によれば、建物の見積もりを行う際に必要とされる予め定められた種類の所定の見積もり項目毎の仕様を示す仕様情報、及び当該仕様の当該見積もり項目における単価を示す単価情報が関連付けられて予め記憶手段により記憶される。なお、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の半導体記憶素子、スマート・メディア（SmartMedia（登録商標））、フレキシブル・ディスク等の可搬記録媒体やハードディスク等の固定記録媒体、或いはネットワークに接続されたサーバ・コンピュータ等に設けられた外部記憶装置が含まれる。
【０００８】
ここで、本発明では、入力手段により、見積もり対象とする建物に含まれる複数の室の前記仕様を示す情報が、当該複数の室を同一仕様とされる室毎に分類した分類グループ毎に一括して指定仕様情報として入力される。なお、上記入力手段による入力には、キーボード、タッチパネル、タブレット、デジタイザ、マウス等の入力装置を介した入力が含まれる。
【０００９】
そして、本発明では、算出手段により、前記入力手段によって入力された前記分類グループ毎の指定仕様情報、及び当該指定仕様情報と同一の前記仕様情報に関連付けられて前記記憶手段により記憶されている前記単価情報に基づいて、前記見積もり対象とする建物に関する前記予め定められた種類の価格が算出され、当該算出手段による算出結果を示す情報が表示手段によって表示される。なお、上記表示手段による表示には、画像表示装置による可視表示の他、画像形成装置による永久可視表示や、音声生成装置による可聴表示が含まれる。
【００１０】
このように、請求項１記載の見積装置によれば、建物の見積もりを行う際に必要とされる予め定められた種類の所定の見積もり項目毎の仕様を示す仕様情報、及び当該仕様の当該見積もり項目における単価を示す単価情報を関連付けて記憶手段により予め記憶しておき、見積もり対象とする建物に含まれる複数の室の前記仕様を示す情報を、当該複数の室を同一仕様とされる室毎に分類した分類グループ毎に一括して指定仕様情報として入力し、入力した前記分類グループ毎の指定仕様情報、及び当該指定仕様情報と同一の前記仕様情報に関連付けられて前記記憶手段により記憶されている前記単価情報に基づいて、前記見積もり対象とする建物に関する前記予め定められた種類の価格を算出し、算出結果を示す情報を表示手段により表示しているので、指定仕様情報の入力を効率的に行うことができる結果、複数の室を有する建物の見積もりを効率的に行うことができる。
【００１１】
なお、本発明は、前記表示手段が、前記入力手段により前記指定仕様情報を入力する際に、前記仕様情報をマトリクス表における一方の軸上に表示すると共に、当該マトリクス表における他方の軸上に前記分類グループを示す情報を表示することにより当該マトリクス表を更に表示し、前記入力手段が、前記表示手段によって表示されたマトリクス表における、入力対象とする分類グループを示す情報の表示位置と、当該分類グループに対して入力するべき前記指定仕様情報と同一の前記仕様情報の表示位置との交点の位置の指定入力を受け付けることにより、前記分類グループ毎の指定仕様情報を入力するものとしてもよい。これにより、より効率的に指定仕様情報の入力を行うことができる結果、より効率的に建物の見積もりを行うことができる。
【００１２】
特に、本発明は、請求項２に記載の発明のように、前記表示手段が、前記分類グループ
を示す情報が入力可能に前記マトリクス表を表示し、前記入力手段が、前記マトリクス表
を介して前記分類グループを示す情報を更に入力するものとしてもよい。これにより、よ
り効率的に指定仕様情報の入力を行うことができる結果、より効率的に建物の見積もりを
行うことができる。
【００１３】
また、本発明は、前記記憶手段が、前記見積もり対象とする建物の３次元オブジェクトモデルを示す情報を更に予め記憶し、前記３次元オブジェクトモデルを示す情報に基づいて、前記見積もり対象とする建物に含まれる複数の室において必要とされる見積もり項目の適用量を導出する導出手段を更に備え、前記算出手段が、前記指定仕様情報、前記単価情報、及び前記導出手段によって導出された適用量に基づいて、前記価格を算出するものとしてもよい。これにより、より効率的に建物の見積もりを行うことができる。
【００１４】
更に、本発明は、請求項３に記載の発明のように、前記予め定められた種類が、仮設、
躯体、仕上げ、外構、及び設備の少なくとも１つであるものとしてもよい。これにより、
適用した種類の見積もり項目に対応する指定仕様情報の入力を効率的に行うことができる
。
【００１５】
更に、本発明は、請求項４に記載の発明のように、前記算出手段は、前記価格を前記見積もり項目毎に算出するものとしてもよい。
更に、本発明は、請求項５に記載の発明のように、前記室を分類グループ毎に分類するために用いられる仕様が、階数、天井高、天井高基点、上面高さ、下面高さの少なくとも１つを含むものとしてもよい。
【００１６】
更に、本発明は、請求項６に記載の発明のように、前記入力手段は、前記予め定められた種類を更に入力するものとしてもよい。
【００１７】
一方、上記目的を達成するために、請求項７記載の見積プログラムは、建物の見積もりを行う際に必要とされる予め定められた種類の所定の見積もり項目毎の仕様を示す仕様情報、及び当該仕様の当該見積もり項目における単価を示す単価情報が関連付けられて予め記憶されると共に、前記見積もり対象とする建物の３次元オブジェクトモデルを示す情報が予め記憶された記憶手段を備えた見積装置において実行される見積プログラムであって、前記３次元オブジェクトモデルを示す情報に基づいて、前記見積もり対象とする建物に
含まれる複数の室において必要とされる見積もり項目の適用量を導出する導出ステップと、前記見積もり対象とする建物に含まれる複数の室の前記仕様を示す情報を、前記仕様情報をマトリクス表における一方の軸上に表示すると共に、当該マトリクス表における他方の軸上に前記複数の室を同一仕様とされる室毎に分類した分類グループを示す情報を表示手段に表示させ、該マトリクス表における、入力対象とする前記分類グループを示す情報の表示位置と、当該分類グループに対して入力するべき前記仕様情報の表示位置との交点の位置の指定入力を受け付けることにより、前記分類グループ毎に一括して指定仕様情報として入力する入力ステップと、前記入力ステップによって入力された前記分類グループ毎の指定仕様情報、当該指定仕様情報と同一の前記仕様情報に関連付けられて前記記憶手段により記憶されている前記単価情報、及び前記適用量に基づいて、前記見積もり対象とする建物に関する前記予め定められた種類の価格を算出する算出ステップと、前記算出ステップによる算出結果を示す情報を表示手段により表示する表示ステップと、をコンピュータに実行させるものである。
【００１８】
従って、請求項７に記載の見積プログラムによれば、コンピュータに対して請求項１記載の発明と同様に作用させることができるので、請求項１記載の発明と同様に、複数の室を有する建物の見積もりを効率的に行うことができる。
【発明の効果】
【００１９】
本発明によれば、建物の見積もりを行う際に必要とされる予め定められた種類の所定の見積もり項目毎の仕様を示す仕様情報、及び当該仕様の当該見積もり項目における単価を示す単価情報を関連付けて記憶手段により予め記憶しておき、見積もり対象とする建物に含まれる複数の室の前記仕様を示す情報を、当該複数の室を同一仕様とされる室毎に分類した分類グループ毎に一括して指定仕様情報として入力し、入力した前記分類グループ毎の指定仕様情報、及び当該指定仕様情報と同一の前記仕様情報に関連付けられて前記記憶手段により記憶されている前記単価情報に基づいて、前記見積もり対象とする建物に関する前記予め定められた種類の価格を算出し、算出結果を示す情報を表示手段により表示しているので、指定仕様情報の入力を効率的に行うことができる結果、複数の室を有する建物の見積もりを効率的に行うことができる、という効果が得られる。
【発明を実施するための最良の形態】
【００２０】
以下、図面を参照して、本発明を実施するための最良の形態について詳細に説明する。なお、ここでは、本発明を、建物の仕上げに関する価格を見積もる見積装置に適用した場合について説明する。
【００２１】
まず、図１及び図２を参照して、本発明が適用された見積装置１０の構成を説明する。
【００２２】
図１に示すように、本実施の形態に係る見積装置１０は、本装置の全体的な動作を制御する制御部１２と、ユーザからの各種情報等の入力に使用するキーボード１４及びマウス１６と、本装置による処理結果や各種メニュー画面、メッセージ等を表示するディスプレイ１８と、を含んで構成されている。すなわち、本実施の形態に係る見積装置１０は、汎用のパーソナル・コンピュータにより構成されている。
【００２３】
次に、図２を参照して、本実施の形態に係る見積装置１０の電気系の要部構成を説明する。
【００２４】
同図に示すように、見積装置１０は、見積装置１０全体の動作を司るＣＰＵ（中央処理装置）２２と、ＣＰＵ２２による各種プログラムの実行時のワークエリア等として用いられるＲＡＭ２４と、各種制御プログラムや各種パラメータ等が予め記憶されたＲＯＭ２６と、各種情報を記憶するために用いられるハードディスク２８と、前述のキーボード１４、マウス１６、及びディスプレイ１８と、外部に接続された装置との間の各種情報の授受を司る外部インタフェース３０とを備えており、これら各部はシステムバスＢＵＳにより相互に接続されている。なお、外部インタフェース３０にはプリンタ５０（図１では図示省略。）が接続されている。
【００２５】
従って、ＣＰＵ２２は、ＲＡＭ２４、ＲＯＭ２６、及びハードディスク２８に対するアクセス、キーボード１４及びマウス１６を介した各種情報の取得、ディスプレイ１８に対する各種情報の表示、及び外部インタフェース３０を介したプリンタ５０による各種情報の印刷を各々行うことができる。
【００２６】
図３には、見積装置１０に備えられたハードディスク２８の主な記憶内容が模式的に示されている。同図に示すように、ハードディスク２８には、各種データベースを記憶するためのデータベース領域ＤＢと、各種処理を行うためのプログラムを記憶するためのプログラム領域ＰＧと、が設けられている。
【００２７】
本実施の形態におけるデータベース領域ＤＢには、後述する見積プログラムの実行時に用いられる単価情報データベースＤＢ１、仕上げ表情報データベースＤＢ２、室部材情報データベースＤＢ３、価格関連情報データベースＤＢ４、及び３次元オブジェクトデータベース（以下、「３Ｄオブジェクトデータベース」という。）ＤＢ５が含まれる。
【００２８】
本実施の形態に係る単価情報データベースＤＢ１は、一例として図４に模式的に示されるように、見積もり項目ＩＤ（Identification）、科目、名称、摘要、単位、及び単価の各情報が、本見積装置１０において取り扱い対象としている見積もり項目毎に記憶されるように構成されている。
【００２９】
上記見積もり項目ＩＤ情報は、対応する見積もり項目を識別するために見積もり項目毎に異なるものとして予め付与された識別情報である。また、上記科目情報は、対応する見積もり項目が適用される工事の名称を示す情報である。また、上記名称情報は、対応する見積もり項目の名称を示す情報である。
【００３０】
また、上記摘要情報は、対応する見積もり項目の詳細内容を示す情報である。また、上記単位情報は、対応する見積もり項目の単位を示す情報である。更に、上記単価情報は、対応する見積もり項目の対応する単位当たりの価格を示す情報である。
【００３１】
一方、本実施の形態に係る仕上げ表情報データベースＤＢ２は、一例として図５に模式的に示されるように、建物ＩＤ、種類、室、及び仕様の各情報が、見積装置１０において処理対象としている建物毎に記憶されるように構成されている。
【００３２】
上記建物ＩＤ情報は、対応する建物を識別するために処理対象とする建物毎に異なるものとして予め付与された識別情報である。また、上記種類情報は、見積装置１０において取り扱い対象としている見積もりの種類を示す情報である。なお、本実施の形態に係る見積装置１０では、上記種類として、外部仕上げ、内部仕上げ、内部下地、外部建具、及び内部建具の５種類を適用している。
【００３３】
一方、上記室情報は、処理対象とする建物に含まれる室に関する予め定められた基本情報であり、対応する建物に含まれる複数の室を、同一仕様とされる室毎に分類した分類グループ毎に設定される情報である。例えば、図５に示される‘部屋１’は、必ずしも１つの室のみを示すものではなく、同一仕様とされた複数の室を示す場合もある。
【００３４】
なお、図５に示されるように、本実施の形態に係る見積装置１０では、上記基本情報として、階数、室名称、天井高、天井高基点、室種類、上面高さ、及び下面高さの７種類の情報を適用している。ここで、上記階数情報は、対応する分類グループに属する室が何階に位置するのかを示す情報であり、上記室名称情報は、対応する分類グループの名称を示す情報であり、上記天井高情報は、対応する分類グループに属する室の天井高を示す情報であり、更に上記天井高基点情報は、対応する分類グループに属する室の天井高の基点位置を示す情報である。なお、同図では、階数情報が未設定の状態が示されている。
【００３５】
一方、上記室種類情報は、対応する分類グループに属する室の種類を示す情報であり、上記上面高さ情報は、対応する分類グループに属する室の上面高さを示す情報であり、更に、上記下面高さ情報は、対応する分類グループに属する室の下面高さを示す情報である。
【００３６】
なお、本実施の形態に係る見積装置１０では、天井高が対応する階の階高と同一である場合は上記天井高情報として０（零）を設定し、上面高さが対応する階の階高と同一である場合は上記上面高さ情報として０を設定している。また、本実施の形態に係る見積装置１０では、天井高の基点位置が対応する階の床面高さと同一である場合は上記天井高基点情報として０を設定し、下面高さが対応する階の床面高さと同一である場合は上記下面高さ情報として０を設定している。
【００３７】
図５に示される例では、‘部屋１’に属する室の天井高が対応する階の階高と同一であり、天井高基点が対応する階の床面高さと同一であり、部屋の種類が内部共有であり、上面高さが対応する階の階高と同一であり、下面高さが対応する階の床面高さと同一であることを示している。
【００３８】
一方、上記仕様情報は、本実施の形態に係る見積装置１０において取り扱い対象としている全ての見積もり項目の仕様を示す情報である。
【００３９】
図５に示されるように、本実施の形態に係る仕上げ表情報データベースＤＢ２は、その主たる目的は、上記分類グループ毎に適用する見積もり項目の仕様を記録することにあり、当該仕様は、後述する見積プログラムの実行によってユーザにより設定される情報である。同図に示す例では、○印が付された位置に対応する分類グループと仕様情報が、当該分類グループに属する室が適用する見積もり項目の仕様を模式的に示すものとされている。ここで、本実施の形態に係る仕上げ表情報データベースＤＢ２では、同図に示されるように、仕様情報の最上段に、前述した見積もり項目ＩＤ（‘１０１０’、‘１０１１’、・・・）が記憶されている。例えば、「ＰＳ」という名称の分類グループに属する室は、見積もり項目ＩＤとして‘１０１６’が付与された仕様（床コンクリート直押え、塗床下、・・・）の見積もり項目を適用することが設定されたことを示している。
【００４０】
一方、本実施の形態に係る室部材情報データベースＤＢ３は、一例として図６に模式的に示されるように、建物ＩＤ、名称、及び寸法の各情報が、本見積装置１０において処理対象としている建物毎に記憶されるように構成されている。
【００４１】
上記建物ＩＤ情報は、上記仕上げ表情報データベースＤＢ２の同一名称の情報と同一のものである。また、上記名称情報は、対応する室又は部材の名称を示す情報である。また、上記寸法情報は、対応する室又は部材の寸法を示す情報である。図６に示す例では、室に対応する寸法情報として、上面高さ、下面高さ、天井高、及び天井高基点の各情報が適用されており、建具に対応する寸法情報として、建具の幅、建具の背、及び建具の上端の各情報が適用されており、壁部材に対応する寸法情報として、壁厚情報が適用されている。なお、上記上面高さ情報、下面高さ情報、天井高情報、及び天井高基点情報は、仕上げ表情報データベースＤＢ２の同一名称の情報と同一のものである。
【００４２】
一方、本実施の形態に係る価格関連情報データベースＤＢ４は、一例として図７に模式的に示されるように、建物ＩＤ、名称、部位コード、建具差引、内外部、辺指定、参入係数、数量、及び見積もり項目ＩＤの各情報が、本見積装置１０において処理対象としている建物毎に記憶されるように構成されている。
【００４３】
上記建物ＩＤ情報及び名称情報は、室部材情報データベースＤＢ３の同一名称の情報と同一のものである。また、上記部位コード情報は、対応する室又は部材における見積もりの計算手法を示す情報である。
【００４４】
また、上記建具差引情報は、対応する部位コードにより示される計算手法において建具の面積を差し引くか否かを示す情報であり、本実施の形態では、差し引く場合に‘１’が、差し引かない場合に‘０’が各々設定される。また、上記内外部情報は、対応する部位コードにより示される計算手法において対象とされている部位が、対応する建物の内部に位置するのか、外部に位置するのかを示す情報であり、本実施の形態では、内部に位置する場合に‘０’が、外部に位置する場合に‘１’が各々設定される。また、上記辺指定情報は、対応する部位コードにより示される計算手法による見積もりに壁の情報を適用するか否かを示す情報であり、本実施の形態では、適用する場合に‘１’が、適用しない場合に‘０’が各々設定される。更に、上記参入係数情報は、対応する部位コードにより示される計算手法により見積もりを行う際に適用する、見積もり対象とする全面積に対する割合を示す情報であり、本実施の形態では、当該割合が１００％である場合に‘１’が最大値として設定され、他の割合である場合には当該割合に応じた１未満の値が設定される。
【００４５】
また、上記数量情報は、対応する部位コードにより示される計算手法により見積もりを行う際に適用する、対応する単価情報データベースＤＢ１における単位情報により示される単位による数を示す情報であり、後述する見積プログラムの実行により設定される情報である。更に、上記見積もり項目ＩＤ情報は、単価情報データベースＤＢ１の同一名称の情報と同一のものである。
【００４６】
なお、前述した仕上げ表情報データベースＤＢ２における仕様情報には、本価格関連情報データベースＤＢ４における部位コード情報、建具差引情報、内外部情報、辺指定情報、参入係数情報、数量情報、及び見積もり項目ＩＤ情報が含まれている。例えば、図５に示される仕様情報の‘１０１０’が見積もり項目ＩＤ情報であり、‘床下地’が部位コード情報であり、‘ブロック面積’より下に示されている‘０’、‘０’、‘０’、‘１．０’、‘０．０’が各々建具差引情報、内外部情報、辺指定情報、参入係数情報、数量情報である。
【００４７】
一方、本実施の形態に係る３ＤオブジェクトデータベースＤＢ５は、一例として図８に模式的に示されるように、本見積装置１０において処理対象としている建物毎の３Ｄオブジェクトモデルを示す情報が記憶されるように構成されている。なお、錯綜を回避するために、同図では１つの建物のみについて示している。
【００４８】
本実施の形態に係る３ＤオブジェクトデータベースＤＢ５は、処理対象とする建物に含まれる各室の形状、建物内における位置、及び各部の寸法が特定できる、各室に含まれる天井、床、壁、巾木、廻縁等の各種部位の角部の位置を示す座標情報が記憶されると共に、各室毎の‘部屋１’、‘部屋２’等の当該室が属する分類グループの名称を示す情報（仕上げ表情報データベースＤＢ２における室名称情報と同一の情報であり、以下、室名称情報という。）が記憶されている。
【００４９】
なお、３ＤオブジェクトデータベースＤＢ５における室名称情報以外の情報は、従来既知の３Ｄオブジェクトモデルと同様の情報であるので、これ以上の説明は省略する。
【００５０】
次に、図９を参照して、本実施の形態に係る見積装置１０の作用を説明する。なお、図９は、ユーザによりキーボード１４、マウス１６等の操作によって見積もりの実行指示が入力された際にＣＰＵ２２により実行される見積プログラムの処理の流れを示すフローチャートであり、該プログラムはハードディスク２８のプログラム領域ＰＧに予め記憶されている。また、ここでは、錯綜を回避するために、単価情報データベースＤＢ１が構築されていると共に、見積もり対象とする建物（以下、「見積もり対象建物」という。）が予め指定されている場合について説明する。
【００５１】
本実施の形態に係る見積プログラムでは、仕上げ表情報データベースＤＢ２を簡易に構築するために、当該仕上げ表情報データベースＤＢ２と略同一の構成とされた仕上げ表情報の雛型となる情報（以下、「仕上げ表雛型情報」という。図示省略。）が予めハードディスク２８の所定領域に記憶されている。そして、見積もり対象建物に関する情報を初めて仕上げ表情報データベースＤＢ２に登録する際には、上記仕上げ表雛型情報を利用して各種情報を入力し、仕上げ表情報データベースＤＢ２に登録された見積もり対象建物に関する情報を更新する際には、登録済みの情報に対して変更を加えるようにする。
【００５２】
そこで、まず、図９のステップ１００では、見積もり対象建物に関する情報を仕上げ表情報データベースＤＢ２に初めて登録する場合には上記仕上げ表雛型情報をハードディスク２８の所定領域から読み出す一方、見積もり対象建物に関する情報がすでに仕上げ表情報データベースＤＢ２に登録されている場合には当該情報をハードディスク２８の仕上げ表情報データベースＤＢ２から読み出し、次のステップ１０２では、上記ステップ１００の処理によって読み出した情報に基づいて、予め定められたフォーマットとされた仕上げ表表示画面をディスプレイ１８により表示し、次のステップ１０４にて、所定情報の入力待ちを行う。
【００５３】
図１０には、本実施の形態に係る仕上げ表表示画面の表示状態が示されている。同図に示すように、当該画面では、前述した仕上げ表情報データベースＤＢ２に含まれる情報が、仕上げ表情報データベースＤＢ２と略同様の状態で表示される。なお、同図に示されるように、本実施の形態に係る仕上げ表表示画面では、見積もりの種類を示す‘外部仕上げ’、‘内部仕上げ’、‘内部下地’、‘外部建具’、及び‘内部建具’が各々個別に記された５つのタブが表示されており、所望の種類のタブを指定することにより、指定したタブに記されている種類に対応する情報を入力することができる。
【００５４】
同図に示されるように、本実施の形態に係る仕上げ表表示画面は、本見積装置１０において取り扱い対象とされている仕様情報がマトリクス表における一方の軸（本実施の形態では、水平方向の軸）上に表示されると共に、当該マトリクス表における他方の軸（本実施の形態では、垂直方向の軸）上に前記分類グループを示す情報が表示されるものとされている。
【００５５】
当該画面がディスプレイ１８により表示されると、ユーザは、キーボード１４やマウス１６を用いて、見積もり対象建物に関する情報を入力する。なお、ユーザは、見積もり対象建物に関する情報を初めて登録する際には、見積もり対象建物に含まれる各室に関する室情報（階数情報、室名称情報、天井高情報、天井高基点情報、室種類情報、上面高さ情報、及び下面高さ情報）を上記分類グループ毎に入力した後に、仕様の設定対象する分類グループを示す情報の表示位置と、当該分類グループに対して設定するべき仕様と同一の仕様情報の表示位置との交点の位置をキーボード１４、マウス１６等を用いて指定する。なお、見積もり対象建物に関する情報を更新する際には、更新対象とする情報（ユーザによる指定情報に加え、室情報、仕様情報を含む。）をキーボード１４、マウス１６等を用いて指定し、かつ所望の情報に更新する。そして、ユーザは、所望の情報の新規入力ないし更新が終了すると、当該画面の上部に表示されている「次へ」ボタンをマウス１６にてポインティング指定する。これに応じて、上記ステップ１０４が肯定判定となってステップ１０６に移行する。
【００５６】
ステップ１０６では、仕上げ表表示画面上で入力ないし更新された情報を仕上げ表情報データベースＤＢ２に反映（登録ないし更新）し、次のステップ１０８では、上記ステップ１０６の処理によって仕上げ表情報データベースＤＢ２に反映した情報に基づいて、見積もり対象建物に関して室部材情報データベースＤＢ３及び価格関連情報データベースＤＢ４に反映（登録ないし更新）すべき情報を生成し、次のステップ１１０にて、生成した情報を室部材情報データベースＤＢ３及び価格関連情報データベースＤＢ４に反映する。なお、上記ステップ１０８及びステップ１１０の処理によって情報が反映された室部材情報データベースＤＢ３及び価格関連情報データベースＤＢ４は、これ以降、３ＤオブジェクトデータベースＤＢ５から各種情報を抽出する際のキーワードとして用いたり、仕上げ表情報データベースＤＢ２の代替えとして適用したりすることができる。
【００５７】
次のステップ１１２では、見積もり対象建物に対応する３Ｄオブジェクトモデルを示す情報を３ＤオブジェクトデータベースＤＢ５から読み出すと共に、見積もり対象建物において適用する全ての見積もり項目に対応する情報を単価情報データベースＤＢ１から読み出し、次のステップ１１４では、読み出した情報に基づいて、上記各分類グループに属する各室毎で、かつ適用する見積もり項目毎に、対応する単位情報により示される単位による適用量を示す情報を数量情報として導出し、次のステップ１１６にて、導出した数量情報を、価格関連情報データベースＤＢ４の対応する記憶領域に記憶（登録）する。
【００５８】
次のステップ１１８では、上記ステップ１１２の処理により読み出した単価情報により示される単価と、対応する上記数量情報により示される数量とを乗算し、これによって得られた値（価格）を見積もり対象建物において適用される見積もり項目毎に合算することにより、当該見積もり項目毎の価格を算出する。
【００５９】
次のステップ１２０では、以上の処理によって得られた各種情報を用いて、予め定められたフォーマットとされた見積もり結果表示画面をディスプレイ１８により表示し、その後に本見積プログラムを終了する。
【００６０】
図１１には、本実施の形態に係る見積もり結果表示画面の表示状態が示されている。同図に示すように、当該画面では、見積もり対象建物で見積もりの対象としている見積もり項目毎に、部位情報、科目情報、名称情報、摘要情報、単位情報、数量情報、単価情報、金額情報（価格）等が表示される。
【００６１】
従って、当該画面を参照することにより、ユーザは、これらの各情報（特に、見積もり項目毎の価格）を視覚的に容易に把握することができる。
【００６２】
以上詳細に説明したように、本実施の形態では、建物の見積もりを行う際に必要とされる予め定められた種類（ここでは、仕上げ）の所定の見積もり項目毎の仕様を示す仕様情報、及び当該仕様の当該見積もり項目における単価を示す単価情報を関連付けて記憶手段（ここでは、ハードディスク２８）により予め記憶しておき、見積もり対象とする建物に含まれる複数の室の前記仕様を示す情報を、当該複数の室を同一仕様とされる室毎に分類した分類グループ毎に一括して指定仕様情報として入力し、入力した前記分類グループ毎の指定仕様情報、及び当該指定仕様情報と同一の前記仕様情報に関連付けられて前記記憶手段により記憶されている前記単価情報に基づいて、前記見積もり対象とする建物に関する前記予め定められた種類の価格を算出し、算出結果を示す情報（ここでは、見積もり結果表示画面により示される情報）を表示手段（ここでは、ディスプレイ１８）により表示しているので、指定仕様情報の入力を効率的に行うことができる結果、複数の室を有する建物の見積もりを効率的に行うことができる。
【００６３】
また、本実施の形態では、前記指定仕様情報を入力する際に、前記仕様情報をマトリクス表における一方の軸上に表示すると共に、当該マトリクス表における他方の軸上に前記分類グループを示す情報を表示することにより当該マトリクス表（ここでは、図１０に示される表）を前記表示手段により表示し、表示したマトリクス表における、入力対象とする分類グループを示す情報の表示位置と、当該分類グループに対して入力するべき前記指定仕様情報と同一の前記仕様情報の表示位置との交点の位置の指定入力を受け付けることにより、前記分類グループ毎の指定仕様情報を入力するものとしているので、より効率的に指定仕様情報の入力を行うことができる結果、より効率的に建物の見積もりを行うことができる。
【００６４】
特に、本実施の形態では、前記分類グループを示す情報が入力可能に前記マトリクス表を表示し、当該マトリクス表を介して前記分類グループを示す情報を入力するものとしているので、より効率的に指定仕様情報の入力を行うことができる結果、より効率的に建物の見積もりを行うことができる。
【００６５】
また、本実施の形態では、前記記憶手段により、前記見積もり対象とする建物の３次元オブジェクトモデルを示す情報を更に予め記憶し、前記３次元オブジェクトモデルを示す情報に基づいて、前記見積もり対象とする建物に含まれる複数の室において必要とされる見積もり項目の適用量（ここでは、数量）を導出し、前記指定仕様情報、前記単価情報、及び前記適用量に基づいて、前記価格を算出しているので、より効率的に建物の見積もりを行うことができる。
【００６６】
更に、本実施の形態では、前記予め定められた種類として仕上げを適用しているので、仕上げの見積もり項目に対応する指定仕様情報の入力を効率的に行うことができる。
【００６７】
なお、上記実施の形態では、本発明の予め定められた種類として仕上げを適用した場合について説明したが、本発明はこれに限定されるものではなく、例えば、仮設、躯体、外構、及び設備の何れか１つを適用するか、又は、これらの４種類に仕上げを加えた５種類のうちの複数の組み合わせを適用する形態とすることもできる。この場合、適用した種類に対応する単価情報データベースＤＢ１や、仕上げ表雛型情報に相当する情報等を予め用意しておくことになる。この場合も、上記実施の形態と同様の効果を奏することができる。
【００６８】
また、上記実施の形態では、見積もり項目毎の価格を見積もる場合について説明したが、本発明はこれに限定されるものではなく、例えば、建物全体の価格を見積もる形態とすることもできる。この場合、上記見積プログラムのステップ１１８では、算出した見積もり項目毎の価格の全ての合算値を算出し、ステップ１２０にて、算出した合算値を示す情報を表示することになる。この場合も、上記実施の形態と同様の効果を奏することができる。
【００６９】
また、上記実施の形態で説明した見積装置１０の構成（図１〜図３参照。）は一例であり、本発明の主旨を逸脱しない範囲内において適宜変更可能であることは言うまでもない。
【００７０】
例えば、上記実施の形態では、本発明を単体のパーソナル・コンピュータで実現した場合について説明したが、当該パーソナル・コンピュータをサーバ装置としてインターネットに接続し、各種表示画面をアクセス元のクライアント装置に設けられたディスプレイ装置に表示させる構成とすることにより、インターネットを介したシステムとして構成することもできる。
【００７１】
また、上記実施の形態では、見積もり結果の表示をディスプレイ１８による可視表示によって行う場合について説明したが、例えば、プリンタ５０による永久可視表示によって行う形態や、不図示の音声合成装置等による可聴表示によって行う形態とすることもできる。これらの場合も、上記実施の形態と同様の効果を奏することができる。
【００７２】
また、上記実施の形態で示した見積プログラムの処理の流れ（図９参照。）も一例であり、本発明の主旨を逸脱しない範囲内において、処理内容を変更したり、不要なステップを削除したり、新たなステップを追加したり、処理順序を入れ替えたりすることができることは言うまでもない。
【００７３】
また、上記実施の形態で示した各種画面の構成（図１０〜図１１参照。）も一例であり、本発明の主旨を逸脱しない範囲内において適宜変更可能であることは言うまでもない。
【００７４】
更に、上記実施の形態で示した各種データベースの構成（図４〜図８参照。）も一例であり、本発明の主旨を逸脱しない範囲内において、記憶内容を変更したり、不要な情報を削除したり、新たな情報を記憶したりすることができることは言うまでもない。
【図面の簡単な説明】
【００７５】
【図１】実施の形態に係る見積装置の外観を示す斜視図である。
【図２】実施の形態に係る見積装置の電気系の要部構成を示すブロック図である。
【図３】実施の形態に係る見積装置に備えられたハードディスクの主な記憶内容を示す模式図である。
【図４】実施の形態に係る単価情報データベースの構成を示す模式図である。
【図５】実施の形態に係る仕上げ表情報データベースの構成を示す模式図である。
【図６】実施の形態に係る室部材情報データベースの構成を示す模式図である。
【図７】実施の形態に係る価格関連情報データベースの構成を示す模式図である。
【図８】実施の形態に係る３Ｄオブジェクトデータベースの構成を示す模式図である。
【図９】実施の形態に係る見積プログラムの処理の流れを示すフローチャートである。
【図１０】実施の形態に係る仕上げ表表示画面の表示状態例を示す概略図である。
【図１１】実施の形態に係る見積もり結果表示画面の表示状態例を示す概略図である。
【符号の説明】
【００７６】
１０    見積装置
１４    キーボード（入力手段）
１６    マウス（入力手段）
１８    ディスプレイ（表示手段）
２２    ＣＰＵ（算出手段，導出手段）
２８    ハードディスク（記憶手段）
【図１】
0005001811.tif 000002
【図２】
0005001811.tif 000003
【図３】
0005001811.tif 000004
【図４】
0005001811.tif 000005
【図５】
0005001811.tif 000006
【図６】
0005001811.tif 000007
【図７】
0005001811.tif 000008
【図８】
0005001811.tif 000009
【図９】
0005001811.tif 000010
【図１０】
0005001811.tif 000011
【図１１】
0005001811.tif 000012